(57)【要約】【課題】  複数に分割された接触子片の内、端部接触子片で発生したアークを消弧側板側へ片寄ることなく消弧板側へと駆動でき、消弧側板あるいは消弧側板の消弧板と反対側に位置する絶縁壁のアークによる損耗を低減できる電力開閉器を提供する。【解決手段】  消弧板６は、複数の接触子片１ａ〜１ｆの内、端部に位置する端部接触子片１ａ、１ｆの接触部２が配置される側の先端部１０１に対向する任意の点６ａより中央部側に上記端部接触子片との最短距離部が設けられ、且つ、上記任意の点より端部側が切り欠かれて端部接触子片に対向する面６ｂが後退している。また、任意の点は電界集中部となっている。【選択図】        図２
2005183239.tif 000002
【特許請求の範囲】
【請求項１】
複数の接触子片に分割され、上記接触子片が互いに電気的に並列接続された第１の接触子、この第１の接触子と対をなす第２の接触子、上記第１、２の接触子の接触部が配置される側の先端部と対向する位置に上記接触子の開極方向に間隙を介して積層配置される磁性体からなる複数の消弧板、上記接触子の開極方向に沿って対向配置され、上記消弧板を両側から挟み込んで保持する対をなす電気絶縁性の消弧側板、並びに上記第１、２の接触子、消弧板、および消弧側板を収納する筺体を備え、
上記消弧板は、上記複数の接触子片の内、端部に位置する端部接触子片の接触部が配置される側の先端部に対向する任意の点より中央部側に上記端部接触子片との最短距離部が設けられ、且つ、上記任意の点より端部側が切り欠かれて上記端部接触子片に対向する面が後退していることを特徴とする電力開閉器。
【請求項２】
任意の点は電界集中部となっていることを特徴とする請求項１記載の電力開閉器。
【請求項３】
電界集中部は角部であることを特徴とする請求項２記載の電力開閉器。
【請求項４】
任意の点は、端部接触子片の消弧側板側の側板側側面と消弧側板と反対側の反対側側面との中心に位置する中心線の延長線と、上記反対側側面の延長線との間に位置することを特徴とする請求項１または２記載の電力開閉器。
【請求項５】
消弧板は略凸字状であり、その凸部側が接触子対と対向するように配置されていることを特徴とする請求項１または２記載の電力開閉器。
【請求項６】
略凸字状の消弧板の凸部中央に略Ｖ字状の切り欠きを設けたことを特徴とする請求項５記載の電力開閉器。
【請求項７】
第１および第２の接触子の内、一方が固定、他方が可動であり、可動側接触子の開極方向を上方とした場合、固定側接触子近傍から消弧板の下方まで延びるアークランナを設け、上記アークランナの上記固定側接触子近傍における幅は、少なくとも上記固定側接触子の接触部の幅と略同じまたはそれよりも広くし、且つ、上記アークランナの上記任意の点近傍における幅は、上記固定側接触子近傍における幅と略同じであることを特徴とする請求項１または２記載の電力開閉器。
【発明の詳細な説明】
【技術分野】
【０００１】
本発明は、消弧板および分割された接触子を有する電力開閉器に関し、特に、消弧側板あるいは絶縁壁（筐体側壁、隔壁）のアークによる損耗の低減に関するものである。
【背景技術】
【０００２】
従来技術１.
従来の電力開閉器においては、例えば特許文献１「回路遮断器」の段落番号［０００２］に示されるように、接触抵抗による発熱（ジュール熱）を抑制するために、開閉接触子を分割して接触点を多くし、これにより接触抵抗を低減している。さらに、段落番号［０００７］および図１１に示されるように、下辺が略Ｖ字状に切欠かれた複数の磁性鋼板からなる消弧板９ｂが、左右一対の絶縁板（消弧側板）９ａの間に保持されることにより、分割された開閉接触子を有する回路遮断器の消弧装置が構成され、この消弧板９ｂに近接して第１接点６と第２接点５との接触部（接触子対の接触部）が位置するように取り付けられている。
【０００３】
従来技術２.
また、別の従来の電力開閉器では、例えば特許文献２「電力開閉装置」第３頁左上欄第７行〜左下欄第１３行および図６に示されるように、アークがアークボックス内壁近傍に駆動され、前記内壁近傍のグリッド（消弧板）の波型先端部とアークランナとの間でアークが膠着して、アークボックスを著しく損傷させることを防ぐために、アークボックスに吊懸されて先端が波形状を呈するグリッドの波形山部の高さを、アークボックス内壁近傍においてこの部分がグリッド中央部より低く設定し、アークをアークボックス内壁側から隔離している。
【０００４】
【特許文献１】特開平１０−６９８４６号公報
【特許文献２】特開昭５８−１６１２２０号公報
【発明の開示】
【発明が解決しようとする課題】
【０００５】
従来技術１のような、接触子を複数の接触子片に分割して接触点を多くした大電流容量の電力開閉器にあっては、接触子が分割されているため、電気的に並列接続された複数の接触子片の内、消弧側板に隣接していない接触子片で発生したアークが消弧側板に隣接する接触子片へ移動して消弧側板に損傷を与えることは少なくなる。
【０００６】
しかし、渦電流の影響により、電気的に並列接続された複数の接触子片の内、端部に位置する端部接触子片すなわち消弧側板に隣接する接触子片を流れる電流が、他の接触子片を流れる電流より多くなるので、この状態で接触子の開極動作を行うと、電流が多く流れている端部接触子片でアークが発生する確率が高くなる。しかも、消弧側板近傍の端部接触子片で発生したアークが中央部側に移行するには、アークスポットが複数の分割された接触子片間を飛び移る必要があるので、アークを消弧側板近傍から中央部に移行させることが難しく、たとえ、従来技術２に開示された構成を応用して、先端が波形状を呈するグリッド（消弧板）の波形山部の高さを、消弧側板近傍においてグリッド中央部におけるより低く設定したとしても、消弧側板の損耗低減効果が充分には発揮できず、消弧側板がアークにより大きく損耗する。
特に、他極と隣接する端部接触子片に発生したアークは当該他極の電流の影響で当該他極側に電磁吸引されることがあるので、このような場合には、アークは当該他極と隣接する消弧側板側へと一層駆動され、消弧側板を更に大きく損耗させる。
【０００７】
このように、アークにより消弧側板が大きく損傷する状態で繰り返し通電開閉を行うと、消弧側板にアークによる貫通穴が生じ、さらには、消弧側板に隣接する絶縁壁にも貫通孔が発生する場合がある。特に、絶縁壁が、隣接する他極と隔離する隔壁であった場合には、極間短絡が発生し、遮断不能となるという問題があった。また、絶縁壁が、他極との隔壁ではなく外部と隔離する筐体の側壁であった場合にも、貫通孔から外部に高温の導電性ガスが噴出して、外部導体との短絡事故、地絡事故などが発生するという問題があった。
【０００８】
本発明は、上記のような従来のものの問題点を解決するためになされたものであり、端部接触子片で発生したアークを、消弧側板側へ片寄ることなく消弧板側へと駆動でき、消弧側板あるいは消弧側板に隣接する絶縁壁（筐体側壁、隔壁）のアークによる損耗を低減できる電力開閉器を提供することを目的とするものである。
【課題を解決するための手段】
【０００９】
本発明に係る電力開閉器は、複数の接触子片に分割され、上記接触子片が互いに電気的に並列接続された第１の接触子、この第１の接触子と対をなす第２の接触子、上記第１、２の接触子の接触部が配置される側の先端部と対向する位置に上記接触子の開極方向に間隙を介して積層配置される磁性体からなる複数の消弧板、上記接触子の開極方向に沿って対向配置され、上記消弧板を両側から挟み込んで保持する対をなす電気絶縁性の消弧側板、並びに上記第１、２の接触子、消弧板、および消弧側板を収納する筺体を備え、上記消弧板は、上記複数の接触子片の内、端部に位置する端部接触子片の接触部が配置される側の先端部に対向する任意の点より中央部側に上記端部接触子片との最短距離部が設けられ、且つ、上記任意の点より端部側が切り欠かれて上記端部接触子片に対向する面が後退しているものである。
【発明の効果】
【００１０】
このように、上記消弧板は、上記消弧板は、上記複数の接触子片の内、端部に位置する端部接触子片の接触部が配置される側の先端部に対向する任意の点より中央部側に上記端部接触子片との最短距離部が設けられ、且つ、上記任意の点より端部側が切り欠かれて上記端部接触子片に対向する面が後退しているので、磁性体からなる消弧板による極中央部側への電磁吸引力により、端部接触子片で発生したアークを消弧側板側へ片寄ることなく消弧板側へと駆動でき、消弧側板あるいは消弧側板の消弧板と反対側に位置する筐体側壁や隔壁のアークによる損耗を低減できる。
【発明を実施するための最良の形態】
【００１１】
実施の形態１．
図１〜３は本発明の実施の形態１による電力開閉器を説明するための図であり、より具体的には、図１は電力開閉器の要部を示す上面図、図２は図１の右端の１極を拡大して示す上面図、図３は図１のＡ−Ａ線における断面図である。
第１の接触子（本実施の形態では可動側接触子すなわち可動子である。）１は、複数の  接触子片１ａ、１ｂ、１ｃ、１ｄ、１ｅ、１ｆに分割され、接触子片１ａ〜１ｆが互いに電気的に並列接続されている。各接触子片１ａ〜１ｆの一端部には、可動接点２（接触部に相当する。）が固着され、他端部には回転軸３を連通する穴が設けられおり、この他端部には、可とう導体（図示せず）が接続される。この第１の接触子（可動子）１と対をなす第２の接触子（本実施の形態では固定側接触子すなわち固定子である。）４の一端部には固定接点５（接触部に相当する。）が固着される。
【００１２】
消弧板６は、板状の磁性鋼板にて構成され、可動子１と固定子４における接触部（可動接点２および固定接点５）が配置される側の第１の接触子先端部と対向する位置に接触子（可動子１）の開極方向に間隙を介して複数個が積層配置されている。対をなす電気絶縁性の消弧側板８は、前記接触子の開極動作面に平行に、且つ、接触子（可動子１）の開極方向に沿って前記積層配置される消弧板６の両端に対向配置され、消弧板６を両側から挟み込んで保持している。
固定接点５近傍からは消弧板６に向かってアークランナ７が延伸している。アークランナ７の接触子の端部７１と固定子４は電気的に直接接続されており、アークランナ７の他端部（先端部と言うこともある。）７２は、可動子１の開極方向を上方とした場合、消弧板６の下方に配置される。
【００１３】
可動子１、固定子４、消弧板６、アークランナ７および消弧側板８は、筺体９内に１極分づつ分離して収納されており、極間は隔壁９２にて相互に絶縁される。
なお、本実施の形態では、接点２、５対のすぐ横には消弧側板８の一端部８１が位置しており、隔壁９２および筐体側壁９１は、この一端部８１により両接点２と５間で発生したアーク１０の熱を直接受けないように構成されている。
【００１４】
以下、消弧板６の構成についてさらに詳細に説明する。消弧板６は、略凸字状の形状を有しており、その凸部６ｃ側が接触子１、４対と対向するように配置されている。また、複数の接触子片１ａ〜１ｆの内、端部に位置する端部接触子片１ａ、１ｆの接触部（可動接点）２が配置される側の先端部すなわち端面１０１に対向する消弧板６の任意の点（本実施の形態では、電界集中部となる角部すなわちエッジ部６ａに相当する。）より極中央部側に端部接触子片１ａ、１ｆとの最短距離部を設け、且つ、上記任意の点（エッジ部６ａ）より端部側すなわち消弧側板８側が矩形状に切り欠かれて端部接触子片１ａ、１ｆ（より正確には端部接触子片１ａ、１ｆの先端部すなわち端面１０１）に対向する端面部６ｂが後退している（以下、この部分を後退部６ｂと言うこともある。）。また、略凸字状の消弧板６の凸部６ｃ中央には略Ｖ字状の切り欠きが設けられている。
【００１５】
図２に示すように、エッジ部６ａ（上記任意の点）と消弧側板８との最短距離（本実施の形態では消弧板６の後退部６ｂの幅と同一である。）をａとし、端部接触子片１ａの消弧側板８と反対側の側面（反対側側面と称する。）１０２と、消弧側板８との最短距離をｂとし、端部接触子片１ａの消弧側板側の側板側側面１０３と消弧側板と反対側の反対側側面１０２との中心に位置する中心線１０４と、消弧側板８との最短距離をｃとしたとき、ｂ＞ａ＞ｃとなるように構成されている。
すなわち、エッジ部６ａ（上記任意の点）は、端部接触子片１ａの反対側側面１０２の延長線と、中心線１０４の延長線との間に位置している。
これは端部接触子片１ｆの側についても同じである。
【００１６】
また、アークランナ７の幅（図２に向かって左右方向の長さ）は、固定子４近傍では固定接点５の幅と同等もしくはそれよりも広くし（図２では少し広くなっている。）、消弧板６のエッジ部６ａ近傍までは前記幅と略同じとし、エッジ部６ａ（上記任意の点）近傍より先端部７２側において細くしている。
【００１７】
同一極の複数の接触子片１ａ〜１ｆの内、端部に位置する端部接触子片１ａ、１ｆを流れる電流が、渦電流の影響により他の接触子片１ｂ〜１ｅを流れる電流より多くなるので、通電状態から接触子（可動子１）の開極動作を行うと、電流が多く流れている端部接触子片１ａ、１ｆでアーク１０が発生する確率が高くなる。
【００１８】
特に、端部接触子片１ａは他極と隣接しており、このように他極と隣接している端部接触子片１ａは、隣極の接触子（可動子１）に流れる電流が端部接触子片１ａに流れる電流と同方向である場合に、端部接触子片１ａに発生したアーク１０は電磁吸引力により隔壁９２側へと駆動される電磁力を受ける。
この隣極電流による電磁力成分の他に、端部接触子片１ａに発生したアーク１０には、磁性体である消弧板６に起因する電磁吸引力が働く。本実施の形態では、消弧板６の端部接触子片１ａの端面１０１と対向する任意の点（すなわち、端部接触子片１ａの消弧側板８側の側板側側面１０３の延長線と、消弧側板８と反対側の反対側側面１０２の延長線との間に位置する任意の点であり、本実施の形態ではエッジ部６ａに相当する。）より消弧側板８側（端部側）の部位を後退させているので、上記端部接触子片１ａに発生したアーク１０に働く磁性体（消弧板６）による電磁吸引力は、消弧側板８と平行してアーク１０を端部接触子片１ａから遠ざける成分と、消弧側板８と直交してアーク１０を消弧側板８から遠ざける成分にて構成され、上述の隣極による電磁吸引力を打ち消す効果がある。
【００１９】
この打消し効果を発揮する電磁吸引力の成分の比率は、上記エッジ部６ａ（上記任意の点）を端部接触子片１ａの開極軌跡に沿った中心断面（中心線１０４）よりその極の中央部側に設ける構成（ａ≧ｃ）により、エッジ部６ａ（上記任意の点）を上記中心断面（中心線１０４）より消弧側板８側（端部側）に設ける構成（ａ＜ｃ）よりも高くできる。しかし、上記エッジ部６ａ（上記任意の点）を、さらにその極の中央部側へと移動させていくと、磁性体（消弧板６）と端部接触子片１ａとの距離が増大し、磁性体（消弧板６）による電磁吸引力の大きさが小さくなっていく。
さらに詳細に説明すると、上記エッジ部６ａ（上記任意の点）が側面１０３の延長線から側面１０２の延長線の間の領域にあれば、端部接触子片１ａの先端部と上記エッジ部６ａ（上記任意の点）との最短距離は増加しないが、ｂ＜ａの領域では、エッジ部６ａ（上記任意の点）をその極の中央部側に設置すること（ａが大きくなること）により、上記最短距離が大きくなっていく。この最短距離の増加にともない、端部接触子片１ａのアークに働く消弧板６の電磁吸引力の大きさが急激に減少する。
また、エッジ部６ａでは電界集中が発生するので、アーク１０はエッジ部６ａに移りや移りやすく、この電界集中の効果も、ｂ＜ａの領域では、ａが大きくなることにより急激に減少する。
【００２０】
よって、エッジ部６ａと端部接触子片１ａとの位置関係を、ｂ≧ａ≧ｃとすることにより、すなわち、エッジ部６ａを、端部接触子片１ａの側板側側面１０３と反対側側面１０２との中心に位置する中心線１０４の延長線と、反対側側面１０２の延長線との間に配置することにより、磁性体からなる消弧板６による極中央部側への電磁吸引力成分に加えて、エッジ部６ａの電界集中効果により、端部接触子片１ａで発生したアーク１０を消弧側板８側へと駆動されることなく、エッジ部６ａへとより確実に素早く駆動できる。したがって、消弧側板８のアーク１０による損耗をより確実に防止することができ、さらには、消弧側板８の消弧板６と反対側に位置する隔壁９２のアーク１０による損耗をより確実に防止できる。
【００２１】
なお、上記では他極と隣接している端部接触子片１ａについて説明したが、他極と隣接していない端部接触子片１ｆにアーク１０が発生した場合にも、端部接触子片１ｆの接触部２が配置される側の先端部に対向する消弧板６の任意の点（エッジ部６ａ）より中央部側に端部接触子片１ｆとの最短距離部を設け、且つ、任意の点（エッジ部６ａ）より端部側を切り欠いて端部接触子片１ｆに対向する面を後退させることにより、好ましくは、任意の点（エッジ部６ａ）を、端部接触子片１ｆの側板側側面１０３と反対側側面１０２との中心に位置する中心線１０４の延長線と、反対側側面１０２の延長線との間に配置することにより、磁性体からなる消弧板６による極中央部側への電磁吸引力成分により、端部接触子片１ｆで発生したアーク１０を消弧側板８側へと駆動されことなく、任意の点（エッジ部６ａ）側へと素早く駆動できる。したがって、消弧側板８のアーク１０による損耗を防止することができ、さらには、消弧側板８の消弧板６と反対側に位置する絶縁壁（筐体側壁９１）のアーク１０による損耗を防止できる。この場合には、隣極の接触子（可動子１）に流れる電流の影響で筐体側壁９１側へと駆動される電磁力成分を受けることはないので、端部接触子片１ｆで発生したアーク１０を、エッジ部６ａへとより素早く駆動できる。
【００２２】
またさらに、端部接触子片１ｆの接触部２が配置される側の先端部に対向する消弧板６の部位に電界集中部（エッジ部６ａ）を設け、電界集中部（エッジ部６ａ）より中央部側に端部接触子片１ｆとの最短距離部を設け、且つ、電界集中部（エッジ部６ａ）より端部側を切り欠いて端部接触子片１ｆに対向する面を後退させることにより、好ましくは、エッジ部６ａを、端部接触子片１ｆの側板側側面１０３と反対側側面１０２との中心に位置する中心線１０４の延長線と、反対側側面１０２の延長線との間に配置することにより、磁性体からなる消弧板６による極中央部側への電磁吸引力成分に加えて、エッジ部６ａの電界集中効果により、端部接触子片１ｆで発生したアーク１０を消弧側板８側へと駆動されることなく、エッジ部６ａへとより素早く駆動できる。したがって、消弧側板８のアーク１０による損耗をより確実に防止することができ、さらには、消弧側板８の消弧板６と反対側に位置する絶縁壁（筐体側壁９１）のアーク１０による損耗をより確実に防止できる。この場合には、隣極の接触子（可動子１）に流れる電流の影響で筐体側壁９１側へと駆動される電磁力成分を受けることはないので、端部接触子片１ｆで発生したアーク１０を、端部接触子片１ａの場合に比べて、エッジ部６ａへとより素早く駆動できる。
【００２３】
ところで、本実施の形態では、略凸字状の消弧板６には凸部６ｃ中央にＶ字状の切り欠きを設けている。これは、同一極の複数の接触子片１ａ〜１ｆの内、その極の中央部に位置する接触子片１ｃ、１ｄで発生したアーク１０を、消弧板６に素早く誘導して消弧するためのものであり、可動子１の損耗を低減する効果が得られる。
【００２４】
従来技術１で挙げた特許文献１の図１１に示されるような、回路遮断器で広く用いられている、消弧板６の消弧側板８の近傍からＶ字状の切り欠きを設けた馬蹄形の消弧板６においても、図４に示すように、端部接触子片１ａ、１ｆの先端部１０１と対向する消弧板６の部位に電界集中部となるエッジ部（角部に相当する。）６ａを設け、エッジ部６ａより極中央部側に端部接触子片１ａ、１ｆとの最短距離部を設け、且つ、エッジ部６ａより端部側すなわち消弧側板８側が切り欠かれて端部接触子片１ａ、１ｆ（より正確には端部接触子片１ａ、１ｆの先端部すなわち端面１０１）に対向する面６ｂを後退させることにより、端部接触子片１ａ、１ｆで発生したアーク１０が消弧側板８側へと駆動されるのを防止できる。
【００２５】
しかし、端部接触子片１ａ、１ｆと同極で隣り合う接触子片１ｂ、１ｅでアーク１０が発生した場合、消弧板６における接触子片１ｂ、１ｅとの最短距離部の位置が消弧側板８側にあることにより、接触子片１ｂ、１ｅのアーク１０は消弧側板８側へと電磁吸引されて端部接触子片１ａ、１ｆへと移行する。これにより、アーク１０と消弧側板８との距離が短縮されるので、十分な消弧側板８の損耗低減効果が得られない場合がある。
一方、図２では、消弧板６を略凸字状としており、消弧板６と接触子片１ｂ、１ｅとの最短距離を結ぶ線分は、接触子片１ｂ、１ｅの長手方向（図２に向かって上下方向）の延長線上にあるので、接触子片１ｂ、１ｅで発生したアーク１０は消弧側板８側へと電磁吸引されず、端部接触子片１ａ、１ｆへ移行することがなくなる。
これにより、消弧側板８のアーク１０による損耗を確実に低減できる。
【００２６】
このように、同一極の複数の接触子片１ａ〜１ｆの内、端部接触子片１ａ、１ｆと隣り合う同極の接触子片１ｂ、１ｅで発生したアーク１０が、消弧側板８側へと駆動されることを防止するためには、消弧板６を略凸字状、すなわち凸部６ｃをほぼ直線状とし、消弧板６の凸部６ｃ側を接触子１、４対と対向するように配置するのが望ましく、中央部に位置する接触子片１ｃ、１ｄで発生したアーク１０を消弧板６に素早く誘導して消弧するためには、凸部６ｃ中央にＶ字状の切り欠きを設けるのが好ましい。したがって、略凸字状の消弧板６の凸部６ｃにおけるＶ字状の切り欠きを設ける範囲は、接触子片１ａ〜１ｆの本数などに応じて適宜決められ、消弧板６毎に異なる位置に設けてもよい。
勿論、Ｖ字状の切り欠きは必ずしも設けなくてもよい。
【００２７】
また、本実施の形態におけるように、固定子４近傍から消弧板６下部まで延びるアークランナ７を設けることにより、アークの消弧板６への移行を早めて接触子１、４の損耗を低減できる。
一般に、複数の接触子片１ａ〜１ｆに分割された接触子（可動子１）を有する大電流容量の回路遮断器では、短絡遮断時の大電流アークを確実に消弧板６にて分断して消弧するために、消弧板６下部に位置するアークランナ先端部７２の幅を固定子４近傍での幅より狭くする。端部接触子片１ａ、１ｆで発生したアーク１０の固定子４側アークスポットはアークランナ７の端部に沿って走行することが多いが、アークランナ７の幅が狭くなり始める位置（すなわち走行方向が変化する位置であり、図２ではＰ１およびＰ２で示す位置である。）では、アークスポットの移行速度が低下する。従って、アークランナ７の幅が狭くなり始める位置（Ｐ１）が、端部接触子片１ａ、１ｆの先端部１０１と消弧板６のエッジ部６ａとの間に位置していれば、端部接触子片１ａ、１ｆで発生したアーク１０が消弧板６に触れて分断される前に消弧側板８の近傍で停滞することとなり、この停滞時間中に例えば隣極電流による電磁吸引力を受けてアーク１０が消弧側板８側へと移動し、消弧側板８の損耗低減効果が十分得られないことがある。
【００２８】
従って、十分な消弧側板８の損耗低減効果を得るには、上記アークランナ７の幅が狭くなり始める位置（Ｐ１）は、エッジ部６ａよりも反端部接触子片１ａ、１ｆ側（すなわち端部接触子片１ａ、１ｆと反対側）に位置する必要がある。言い換えれば、固定子４近傍から少なくとも消弧板６のエッジ部６ａまでのアークランナ７の幅を略同じとすることにより、端部接触子片１ａ、１ｆで発生したアーク１０を消弧板６のエッジ部６ａへと素早く、確実に駆動できるので、アーク１０が消弧側板８側へと駆動されることを防止でき、消弧側板８のアーク１０による損耗を低減できる。
【００２９】
以上のような構成にて、アーク１０が消弧側板８側へと駆動されることを防止すれば、多数回の通電開閉を行っても、消弧側板８にアーク１０による貫通穴が発生することや、筐体側壁９１に貫通穴が発生して外部導体との短絡事故、地絡事故などが発生することや、隔壁９２に貫通穴が発生して極間短絡が発生し遮断不能となるということがなく、多数回の通電開閉が可能な多極電力開閉器が得られる。
【００３０】
なお、上記実施の形態では、消弧側板８が接触子１、４の接点２、５と絶縁壁（筐体側壁９１、隔壁９２）との間まで延在して、絶縁壁が接点２、５間で発生したアーク１０の熱を直接受けないように構成されているが、別部材により絶縁壁をアーク１０から保護する構成、あるいは、絶縁壁が直接、接点２、５間のアーク１０に曝露される構成においても、上記と同様に構成することにより、同様の効果が得られる。
【００３１】
すなわち、端部接触子片１ａ、１ｆの接触部２が配置される側の先端部１０１に対向する消弧板６の任意の点（エッジ部６ａ）より中央部側に端部接触子片１ａ、１ｆとの最短距離部を設け、且つ、任意の点（エッジ部６ａ）より端部側を切り欠いて端部接触子片１ａ、１ｆに対向する面を後退させることにより、好ましくは、エッジ部６ａを、端部接触子片１ａ、１ｆの側板側側面１０３と反対側側面１０２との中心に位置する中心線１０４の延長線と、反対側側面１０２の延長線との間に配置することにより、磁性体からなる消弧板６による極中央部側への電磁吸引力成分により、端部接触子片１ａ、１ｆで発生したアーク１０を、消弧側板８側へと駆動されることなく、任意の点（エッジ部６ａ）側へと素早く駆動できる。したがって、消弧側板８のアーク１０による損耗を防止することができ、さらには、消弧側板８の消弧板６と反対側に位置する絶縁壁（筐体側壁９１、隔壁９２）のアーク１０による損耗を防止できる。
【００３２】
またさらに、端部接触子片１ａ、１ｆの接触部２が配置される側の先端部１０１に対向する消弧板６の部位に電界集中部（エッジ部６ａ）を設け、電界集中部（エッジ部６ａ）より中央部側に端部接触子片１ａ、１ｆとの最短距離部を設け、且つ、電界集中部（エッジ部６ａ）より端部側を切り欠いて端部接触子片１ａ、１ｆに対向する面を後退させることにより、好ましくは、エッジ部６ａを、端部接触子片１ａ、１ｆの側板側側面１０３と反対側側面１０２との中心に位置する中心線１０４の延長線と、反対側側面１０２の延長線との間に配置することにより、磁性体からなる消弧板６による極中央部側への電磁吸引力成分に加えて、エッジ部６ａの電界集中効果により、端部接触子片１ａ、１ｆで発生したアーク１０を、消弧側板８側へと駆動されることなく、エッジ部６ａへとより素早く駆動できる。したがって、消弧側板８のアーク１０による損耗をより確実に防止することができ、さらには、消弧側板８の消弧板６と反対側に位置する絶縁壁（筐体側壁９１、隔壁９２）のアーク１０による損耗をより確実に防止できる。
【００３３】
なお、上記では可動子１が複数の接触子片１ａ〜１ｆに分割されている場合について説明したが、固定子４が分割されてもよく、さらには可動子１および固定子４の両方が分割されてもよく、同様の効果が得られる。
また、その分割数（接触子片の数）は上記実施の形態で示した６に限るものではないのは言うまでもない。
【００３４】
なお、上記では３極の回路を開閉する多極電力開閉器について示したが、３極に限るものではなく、例えば２極などの他の多極電力開閉器、さらには１極の回路を開閉する単極電力開閉器にも適用できる。
【００３５】
実施の形態２．
図５〜図１０は本発明の実施の形態２による電力開閉器を説明するための図であり、より具体的には、消弧板の構成を示す上面図である。
実施の形態１では、消弧板６の端部接触子片１ａの端面１０１と対向する任意の点より消弧側板８側（端部側）の部位を後退させるのに、任意の点を、角度が９０度であるエッジ部６ａとし、エッジ部６ａより端部側が矩形状に切り欠かれている場合を示したが、これに限るものではない。
また、消弧板６の凸部６ｃに設けたＶ字状の切り欠きは必ずしも無くてもよい。
さらに、複数に分割された接触子片１ａ〜１ｆの端部に位置する端部接触子片１ａ、１ｆの内、特に、他極と隣接している端部接触子片１ａに発生したアーク１０は、隣極の接触子に流れる電流が端部接触子片１ａに流れる電流と同方向である場合に、隣極との相互作用（電磁吸引力）により隔壁９２側へと駆動されて隔壁９２に貫通穴が発生し、極間短絡が発生して遮断不能となるなど重大な悪影響を及ぼすことがある。そこで、これを防止するために、エッジ部６ａおよび切り欠きは、３極以上の多極電力開閉器において、他極と隣接している端部接触子片側１ａのみに設けてもよい。
図５〜図１０では具体的実施の形態のほんの一例を示している。
【００３６】
図５では、消弧板６のエッジ部６ａの角度を９０度より大きくしており、切り欠きの形状も矩形状ではなく後退部６ｂの方が狭まった台形状である。
図６では、消弧板６のエッジ部６ａの角度を９０度未満としており、切り欠きの形状は後退部６ｂの方が広がった台形状である。
【００３７】
また、図７では、消弧板６のエッジ部６ａおよび後退部６ｂに小さなテーパ部を設けており、図８では消弧板６のエッジ部６ａに小さな丸みを持たせている。図７においては角部であるＰ３が、図８においては直線と曲線との境界であるＰ４が、それぞれ端部接触子片に対向する面の後退が始まる任意の点に相当する。ただし、上記任意の点Ｐ３，Ｐ４近傍におけるテーパ部を設ける範囲および丸みを持たせる範囲は、図２で示した端部接触子片１ａの消弧側板８側の側板側側面１０３の延長線と、消弧側板８と反対側の反対側側面１０２の延長線との間に収まる範囲が望ましい。
【００３８】
図９では後退部６ｂに丸みを持たせており、消弧板６の凸部６ｃは、Ｖ字状の切り欠きを設けないで直線状としている。
図１０では、他極と隣接している端部接触子片側のみにエッジ部６ａおよび切り欠きを設けている。
【００３９】
なお、上記各実施の形態では、電界集中部がエッジ部６ａである場合について説明したが、これに限るものではない。電界集中部の他の構成例として、例えば、エッジ部６ａに相当する位置に電界集中が発生しやすいように、局所的な粗面化を施す、小さな突起もしくは窪みを設ける、あるいは、高誘電率を有する別部材と磁性板との接合部を配置するなどがある。例えば、図７および図８で示したように、エッジ部６ａにテーパを設けたり、丸みを持たせたりする場合に、これら電界集中のための構成を採用してもよい。ただし、上記のように構成された電界集中部の範囲は、図２で示した端部接触子片１ａの消弧側板８側の側板側側面１０３の延長線と、消弧側板８と反対側の反対側側面１０２の延長線との間に収まる範囲が望ましい。
【図面の簡単な説明】
【００４０】
【図１】本発明の実施の形態１による電力開閉器を説明するための図である。
【図２】本発明の実施の形態１による電力開閉器を説明するための図である。
【図３】本発明の実施の形態１による電力開閉器を説明するための図である。
【図４】本発明の実施の形態１による電力開閉器を説明するための図である。
【図５】本発明の実施の形態２による電力開閉器を説明するための図である。
【図６】本発明の実施の形態２による電力開閉器を説明するための図である。
【図７】本発明の実施の形態２による電力開閉器を説明するための図である。
【図８】本発明の実施の形態２による電力開閉器を説明するための図である。
【図９】本発明の実施の形態２による電力開閉器を説明するための図である。
【図１０】本発明の実施の形態２による電力開閉器を説明するための図である。
【符号の説明】
【００４１】
１  可動子（第１の接触子）、１ａ〜１ｆ  接触子片、１ａ、１ｆ  端部接触子、２  可動接点（接触部）、４  固定子（第２の接触子）、５  固定接点（接触部）、６  消弧板、６ａ  エッジ部（電界集中部）、６ｂ  後退部、６ｃ  凸部、７  アークランナ、８  消弧側板、９  筐体、９１  筐体側壁、９２  隔壁、１０アーク。
【図１】
2005183239.tif 000003
【図２】
2005183239.tif 000004
【図３】
2005183239.tif 000005
【図４】
2005183239.tif 000006
【図５】
2005183239.tif 000007
【図６】
2005183239.tif 000008
【図７】
2005183239.tif 000009
【図８】
2005183239.tif 000010
【図９】
2005183239.tif 000011
【図１０】
2005183239.tif 000012